(57)【要約】【課題】  本願は、容易にカードの取り出しを防止できるカード盗難防止機構を提供する。【解決手段】  本願のカード盗難防止機構は、カード２が挿入される挿入口１７ａを備える表示装置本体１１と、表示装置本体１１が載置される置き台２０と、表示装置本体１１と置き台２０との間に挟みこまれるとともに、一部が挿入口１７ａの前方を塞ぐように配置される治具３０と、を具備している。【選択図】      図２
2006237971.tif 000002
【特許請求の範囲】
【請求項１】
カードが挿入される挿入口を備える表示装置本体と、
当該表示装置本体が載置される置き台と、
当該表示装置本体と当該置き台との間に挟みこまれるとともに、一部が当該挿入口の前方を塞ぐように配置される治具と、
を具備していることを特徴とするカード盗難防止機構。
【請求項２】
カードが挿入される挿入口を備える表示装置本体と、
当該表示装置本体が載置される置き台と、
当該表示装置本体と当該置き台との間に挟みこまれる基体と、当該基体上に形成され当該挿入口の前方を塞ぐように配置されるカード取り出し防止体と、を備える治具と、
を具備していることを特徴とするカード盗難防止機構。
【請求項３】
カードが挿入される挿入口を備える表示装置本体と、当該表示装置本体が載置される置き台と、を具備し、
前記置き台は、
当該表示装置本体が当該置き台に載置された状態において、前記挿入口の前方を塞ぐように配置されるカード取り出し防止体を備えていることを特徴とするカード盗難防止機構。
【請求項４】
前記表示装置本体は、前記挿入口の前方に設けられる開閉可能な蓋を、更に備え、
前記カード取り出し防止体は、前記蓋の前方に配置されていることを特徴とする請求項２、又は３に記載のカード盗難防止機構。
【請求項５】
前記表示装置本体は、前記挿入口の前方に設けられる開閉可能な蓋を、更に備え、
前記カード取り出し防止体は、前記挿入口と前記蓋との間に配置されていることを特徴とする請求項２、又は３に記載のカード盗難防止機構。
【請求項６】
前記カード取り出し防止体は、折り畳み可能であることを特徴とする請求項２乃至５に記載のカード盗難防止機構。
【請求項７】
カードが挿入される挿入口と、当該挿入口の前方に設けられる開閉可能な蓋と、当該挿入口と蓋との間を移動可能な移動体と、を備える表示装置本体と、
当該表示装置本体が載置される置き台と、を具備し、
前記置き台は、
当該表示装置本体が当該置き台に載置される際に、当該移動体を移動させ当該移動体が当該挿入口の前方を塞ぐ押上体を備えていることを特徴とするカード盗難防止機構。
【請求項８】
カードが挿入される挿入口と、当該挿入口の前方に設けられる開閉可能な蓋と、当該挿入口と蓋との間を移動可能な移動体と、を備える表示装置本体と、
当該表示装置本体が載置される置き台と、
当該表示装置本体と当該置き台との間に挟みこまれる治具と、を具備し、
前記治具は、
当該表示装置本体が当該置き台に載置される際に、当該移動体を移動させ当該移動体が当該挿入口の前方を塞ぐ押上体を備えていることを特徴とするカード盗難防止機構。
【請求項９】
前記押上体は、折り畳み可能であることを特徴とする請求項７、又は８に記載のカード盗難防止機構。
【発明の詳細な説明】
【技術分野】
【０００１】
本願は、表示装置本体に装着される各種放送を視聴するためのカードの盗難防止機構に関する。
【背景技術】
【０００２】
近年、ケーブルテレビ局など各放送局から配信される地上デジタルテレビジョン放送、ＢＳデジタル放送、１１０度ＣＳデジタル放送等の各種放送を有料で視聴するサービスがケーブルテレビ局統括運営会社により提供されている。当該各種放送を視聴するためにはＢ−ＣＡＳ（BS Conditional Access Systems）カードと称されるカードが必要であり、当該カードが挿入される挿入口を備えたＰＤＰ（Plasma Display Panel）などの表示パネルからなる平面型表示装置も存在している。
【０００３】
当該カードを使用して各種放送を視聴する場合には、予めユーザ登録を行っておく必要がある。また、電気量販店の店頭で展示用に使用する場合も同様にユーザ登録を行っておく必要がある。
【０００４】
一方、Ｂ−ＣＡＳカードは、通常、何度も出し入れするものではなく、一度装着したら当該各種放送を視聴するサービスを解約するまで取り出す必要がない。
【０００５】
また、従来、Ｂ−ＣＡＳカードによって各放送局から配信される各種放送を視聴制限可能な受信機が存在し、当該受信機は、暗証番号によりＢ−ＣＡＳカードをロック、アンロックする機能を備えている（特許文献１）。
【０００６】
【特許文献１】特開２００３−３１９３６２号公報
【発明の開示】
【発明が解決しようとする課題】
【０００７】
一般に、Ｂ−ＣＡＳカードは簡単に取り出せるようになっているため、子供などがいたずらをして当該Ｂ−ＣＡＳカードを取り出して紛失してしまう場合がある。
【０００８】
また、Ｂ−ＣＡＳカードは、他の機器に装着すれば、各種放送を視聴することが可能であることから、電気量販店では、店頭にて展示用に使用する表示装置からＢ−ＣＡＳカードを抜き取られる盗難被害が発生しており、これを防止する策を練って欲しいとの店側からの要求もある。
【０００９】
本願が解決しようとする課題には、上記した問題が一例として挙げられる。
【００１０】
そこで、本願は、容易にカードの取り出しを防止できるカード盗難防止機構を提供することを目的の一例とする。
【課題を解決するための手段】
【００１１】
以下、本願について説明する。なお、本願の理解を容易にするために添付図面の参照符号を括弧書きにて付記するが、それにより本願が図示の形態に限定されるものではない。
【００１２】
請求項１に記載の発明は、カード（２）が挿入される挿入口（１７ａ）を備える表示装置本体（１１）と、当該表示装置本体が載置される置き台（２０）と、当該表示装置本体と当該置き台との間に挟みこまれるとともに、一部が当該挿入口の前方を塞ぐように配置される治具（３０）と、を具備していることを特徴とする。
【００１３】
請求項２に記載の発明は、カードが挿入される挿入口を備える表示装置本体と、当該表示装置本体が載置される置き台と、当該表示装置本体と当該置き台との間に挟みこまれる基体（３１）と、当該基体上に形成され当該挿入口の前方を塞ぐように配置されるカード取り出し防止体（３２）と、を備える治具と、を具備していることを特徴とする。
【００１４】
請求項３に記載の発明は、カードが挿入される挿入口を備える表示装置本体と、当該表示装置本体が載置される置き台（２０ｂ）と、を具備し、前記置き台は、当該表示装置本体が当該置き台に載置された状態において、前記挿入口の前方を塞ぐように配置されるカード取り出し防止体（３２ｂ）を備えていることを特徴とする。
【００１５】
請求項７に記載の発明は、カードが挿入される挿入口と、当該挿入口の前方に設けられる開閉可能な蓋（１５）と、当該挿入口と蓋との間を移動可能な移動体（１９）と、を備える表示装置本体と、当該表示装置本体が載置される置き台と、を具備し、前記置き台は、当該表示装置本体が当該置き台に載置される際に、当該移動体を移動させ当該移動体が当該挿入口の前方を塞ぐ押上体（３２ｄ）を備えていることを特徴とする。
【００１６】
請求項８に記載の発明は、カードが挿入される挿入口と、当該挿入口の前方に設けられる開閉可能な蓋と、当該挿入口と蓋との間を移動可能な移動体と、を備える表示装置本体と、当該表示装置本体が載置される置き台と、当該表示装置本体と当該置き台との間に挟みこまれる治具と、を具備し、前記治具は、当該表示装置本体が当該置き台に載置される際に、当該移動体を移動させ当該移動体が当該挿入口の前方を塞ぐ押上体を備えていることを特徴とする。
【発明を実施するための最良の形態】
【００１７】
以下、図１乃至図１５を参照して、本願のカード盗難防止機構として機能する平面型表示装置の各実施形態について説明する。なお、以下に説明する平面型表示装置本体１１とは、ＰＤＰ、ＥＬＤ（Electro luminescent display）、液晶パネル、ＥＬ(Electro Luminescence)パネル、FED（Field Emission Display）などを用いた薄型の映像表示装置をいう。また、平面型表示装置本体１１は、各放送局から提供される地上デジタルテレビジョン放送、ＢＳデジタル放送、１１０度ＣＳデジタル放送等の各種放送を視聴するためのＢ−ＣＡＳカード２によって閲覧可能な機能を有するものである。
【００１８】
―第１の実施形態―
図１は第１の実施形態の平面型表示装置の構成図、図２は第１の実施形態の平面型表示装置を示し、図２（ａ）は正面図、図２（ｂ）は図２（ａ）のII−II断面図、図３は図２（ｂ）のＡ拡大図である。なお、以下の説明では図１の正面及び背面を便宜的に前方、後方として説明するとともに、上下左右方向を便宜的に平面型表示装置の上下左右として表現する。これらの図から明らかなように、本実施形態のカード盗難防止機構は、平面型表示装置本体１１と置き台２０との間に挟まれる治具３０の一部が、内部でＢ−ＣＡＳカード２の挿入口１７ａと連通する蓋１５の前方に配置された形態としている。
【００１９】
図示のように、本実施形態の平面型表示装置１０は、平面型表示装置本体１１と、当該平面型表示装置本体１１が載置される置き台２０と、当該平面型表示装置本体と置き台との間に挟まれて使用される治具３０と、を備えている。
【００２０】
平面型表示装置本体１１は、ＰＤＰからなる映像を表示するための表示パネル１２と、当該表示パネル１２の外周及び背面を覆うケース本体１３と、を備えている。
【００２１】
平面型表示装置本体１１の前面の下方には前方に開閉可能な蓋１５を備え、当該蓋１５の内部には、Ｂ−ＣＡＳカード２が水平状態で挿入される挿入口１７ａを有するカード挿入装置１７を備えている。当該蓋１５は、平面型表示装置本体１１の前面から突出することなく平面状に備えられている。また、通常、当該蓋１５は、前記挿入口１７ａの前方を塞ぐように配置されているが、当該蓋１５を前方に開放することによって、前記カード挿入装置１７に挿入口１７ａからＢ−ＣＡＳカード２を挿入することができる。
【００２２】
置き台２０は、凸形状の基台２１と、当該基台２１上に回転可能に設けられ平面型表示装置本体１１が載置される載置台２２と、を備えている。当該載置台２２は、平面型表示装置本体１１の底部を支える底部支持体２３と、例えば、当該底部支持体２３の後方端部から上方垂直方向に延びて形成され当該平面型表示装置本体１１の左右背面を支える一対の背面支持体２４、２４と、を備えている。なお、装置本体１１を支える支持体は他に装置本体１１の内部に挿す構成等、特に限定はされない。
【００２３】
治具３０は、薄形の基体３１と、当該基体３１の前方端部の一部が上方垂直方向に延びて形成されるカード取り出し防止体３２と、を備えている。当該カード取り出し防止体３２の左右方向の幅は挿入口１７ａの幅と略同等に形成されている。当該基体３１とカード取り出し防止体３２は一体的に形成されている。なお、当該カード取り出し防止体３２の左右方向の幅は、後述するＢ−ＣＡＳカード２の取り出しを防止可能な幅であれば、特に限定はされない。
【００２４】
また、平面型表示装置本体１１が置き台２０に載置される際に、当該基体３１は、当該平面型表示装置本体１１と置き台２０との間に挟まれて装着され、当該カード取り出し防止体３２は、当該平面型表示装置本体１１の挿入口１７ａの前方を塞ぐように当該蓋１５の前方に配置される。
【００２５】
以上に説明したように、本実施形態のカード盗難防止機構は、Ｂ−ＣＡＳカード２が挿入される挿入口１７ａと、挿入口１７ａの前方に設けられる開閉可能な蓋１５と、を備える平面型表示装置本体１１と、平面型表示装置本体１１が載置される置き台２０と、平面型表示装置本体１１と置き台２０との間に挟まれる基体３１と、基体３１上に形成され挿入口１７ａの前方を塞ぐように蓋１５の前方に配置されるカード取り出し防止体３２と、を備える治具３０と、を備えている。
【００２６】
このようにすれば、カード取り出し防止体３２が、平面型表示装置本体１１が置き台２０に載置された状態において、挿入口１７ａと連通する蓋１５の前方に配置され、当該カード取り出し防止体３２によって、蓋１５が開口するのを塞ぐため、外部の者によるＢ−ＣＡＳカード２の取り出しを防止できる。すなわち、当該カード取り出し防止体３２を取り除くには、平面型表示装置本体１１を置き台２０から取り除かなければならないので、特に店頭でのＢ−ＣＡＳカードの盗難防止に効果を発揮する。
【００２７】
―第２の実施形態―
図４及び図５により本願の第２の実施形態の表示装置を説明する。なお、図４及び図５において、図１乃至図３と共通する部分には同一符号を付し、それらの説明は省略する。
【００２８】
図４は第２の実施形態の平面型表示装置を示し、図４（ａ）は正面図、図４（ｂ）は図４（ａ）のIV−IV断面図、図５は図４（ｂ）のＢ拡大図である。
【００２９】
これらの図から明らかなように、本実施形態のカード盗難防止機構は、平面型表示装置本体１１と置き台２１との間に挟まれる治具３０の一部が、Ｂ−ＣＡＳカード２が挿入される挿入口１７ａと蓋１５との間に配置された形態としている。
【００３０】
当該平面型表示装置本体１１は、蓋１５と挿入口１７ａの間に空間部１８を有している。当該空間部１８は、当該挿入口１７ａよりも少し上方から当該平面型表示装置本体１１の底部に開口１１ａを有するように延びて形成されている。当該空間部１８の左右方向の幅は、当該挿入口１７ａの左右方向の幅よりも少し広く形成されている。
【００３１】
治具３０は、薄形の基体３１と、当該基体３１の前方の一部が上方垂直方向に延びて形成されるカード取り出し防止体３２ａと、を備えている。当該カード取り出し防止体３２ａの左右方向の幅は挿入口１７ａの幅と略同等に形成されている。当該基体３１とカード取り出し防止体３２ａは一体的に形成されている。なお、当該カード取り出し防止体３２の左右方向の幅は、後述するＢ−ＣＡＳカード２の取り出しを防止可能な幅であれば、特に限定はされない。
【００３２】
当該カード取り出し防止体３２ａは、当該治具３０を平面型表示装置本体１１と置き台２０との間に装着した状態において、当該平面型表示装置本体１１の挿入口１７ａを塞ぐように当該挿入口１７ａの前方であって当該挿入口１７ａと蓋１５との間に配置される。
【００３３】
以上に説明したように、本実施形態のカード盗難防止機構は、Ｂ−ＣＡＳカード２が挿入される挿入口１７ａと、挿入口１７ａの前方に設けられる開閉可能な蓋１５と、を備える平面型表示装置本体１１と、平面型表示装置本体１１が載置される置き台２０と、平面型表示装置本体１１と置き台２０との間に挟まれる基体３１と、基体３１上に形成され挿入口１７ａの前方を塞ぐように蓋１５と挿入口１７ａとの間に配置されるカード取り出し防止体３２と、を備える治具３０と、を備えている。
【００３４】
このようにすれば、カード取り出し防止体３２ａが、平面型表示装置本体１１が置き台２０に載置された状態において、挿入口１７ａと蓋１５との間に当該挿入口１７ａを塞ぐように配置され、当該カード取り出し防止体３２ａによって、Ｂ−ＣＡＳカード２が挿入口１７ａから取り出されるのを塞ぐため、外部の者によるＢ−ＣＡＳカード２の取り出しを容易に防止できる。すなわち、当該カード取り出し防止体３２ａを取り除くには、平面型表示装置本体１１を置き台２０から取り除かなければならないので、特に店頭でのＢ−ＣＡＳカードの盗難防止に効果を発揮する。
【００３５】
―第３の実施形態―
図６乃至図８により本願の第３の実施形態の表示装置を説明する。なお、図６乃至図８において、図１乃至図３と共通する部分には同一符号を付し、それらの説明は省略する。
【００３６】
図６は第３の実施形態の平面型表示装置の構成図、図７は第３の実施形態の平面型表示装置を示し、図７（ａ）は正面図、図７（ｂ）は図７（ａ）のVII−VII断面図、図８は図７（ｂ）のＣ拡大図である。これらの図から明らかなように、本実施形態のカード盗難防止機構は、平面型表示装置本体１１が載置される置き台２０ｂに、内部でＢ−ＣＡＳカード２の挿入口１７ａと連通する蓋１５の前方に配置されるカード取り出し防止体３２ｂを備えた形態としている。
【００３７】
置き台２０ｂは、基台２１と、当該基台２１上に回転可能に設けられ平面型表示装置本体１１が載置される載置台２２ｂと、を備えている。当該載置台２２ｂは、平面型表示装置本体１１の底部を支える底部支持体２３ａと、当該底部支持体２３ａの前方端部の一部が上方垂直方向に延びて形成されるカード取り出し防止体３２ｂと、前記底部支持体２３ａの後方端部から上方垂直方向に延びて形成される当該平面型表示装置本体１１の左右背面を支えるための一対の背面支持体２４、２４と、を備えている。なお、装置本体１１を支える支持体は他に装置本体１１の内部に挿す構成等、特に限定はされない。
【００３８】
当該カード取り出し防止体３２ｂの左右方向の幅は挿入口１７ａの幅と略同等に形成されている。当該底部支持体２３ａとカード取り出し防止体３２ｂは一体的に形成されている。なお、当該カード取り出し防止体３２ｂの左右方向の幅は、後述するＢ−ＣＡＳカード２の取り出しを防止可能な幅であれば、特に限定はされない。
【００３９】
当該カード取り出し防止体３２ｂは、平面型表示装置本体１１が当該置き台２０ｂに載置された状態において、当該平面型表示装置本体１１の挿入口１７ａを塞ぐように当該蓋１５の前方に配置される。
【００４０】
また、カード取り出し防止体３２ｂは、底部支持体２３ａの内側（後方）に折り畳み可能な可倒式に形成されている。このようにすれば、盗難カード取り出し防止体３２ｂを折り畳んだ状態で、平面型表示装置１１を置き台２０に載置すれば、蓋１５は自由に開閉するとともに、Ｂ−ＣＡＳカード２は取り出し自由となる。
【００４１】
また、図８に示すように、端部にカード取り出し防止体３２ｂが形成されている底部支持体２３ａの前方部は、当該カード取り出し防止体３２ｂが折り畳まれた際に当該底部支持体２３ａの表面が平面状になるように凹部が形成されていることが好ましい。
【００４２】
以上に説明したように、本実施形態のカード盗難防止機構は、Ｂ−ＣＡＳカード２が挿入される挿入口１７ａと、挿入口１７ａの前方に設けられる開閉可能な蓋１５と、を備える平面型表示装置本体１１と、平面型表示装置本体１１が載置される置き台２０ｂと、を具備し、置き台２０ｂは、平面型表示装置本体１１が置き台２０ｂに載置された状態において、挿入口１７ａの前方を塞ぐように蓋１５の前方に配置されるカード取り出し防止体３２ｂを備えている。
【００４３】
このようにすれば、カード取り出し防止体３２ｂが、平面型表示装置本体１１が置き台２０に載置された状態において、挿入口１７ａと連通する蓋１５の前方に配置され、当該カード取り出し防止体３２ｂによって、蓋１５が開口するのを塞ぐため、外部の者によるＢ−ＣＡＳカード２の取り出しを防止できる。すなわち、当該カード取り出し防止体３２ｂを取り除くには、平面型表示装置本体１１を置き台２０から取り除かなければならないので、特に店頭でのＢ−ＣＡＳカードの盗難防止に効果を発揮する。
【００４４】
―第４の実施形態―
図９及び図１０により本願の第４の実施形態の表示装置を説明する。なお、図９及び図１０において、図１乃至図３と共通する部分には同一符号を付し、それらの説明は省略する。
【００４５】
図９は第４の実施形態の平面型表示装置を示し、図９（ａ）は正面図、図９（ｂ）は図９（ａ）のIX−IX断面図、図１０は図９（ｂ）のＤ拡大図である。これらの図から明らかなように、本実施形態のカード盗難防止機構は、平面型表示装置本体１１が載置される置き台２０ｃに、Ｂ−ＣＡＳカード２が挿入される挿入口１７ａの前方を塞ぐ可倒式のカード取り出し防止体３２ｃを備えた形態としている。
【００４６】
当該平面型表示装置本体１１は、当該平面型表示装置本体１１の当該蓋１５と挿入口１７ａの間に空間部１８を有している。当該空間部１８は、当該挿入口１７ａよりも少し上方から当該平面型表示装置本体１１の底部に開口１１ａを有するように延びて形成されている。当該空間部１８の左右方向の幅は、当該挿入口１７ａよりも少し広く形成されている。
【００４７】
また、当該カード取り出し防止体３２ｃは、平面型表示装置本体１１が当該置き台２０に載置された状態において、当該平面型表示装置本体１１の挿入口１７ａを塞ぐように当該挿入口１７ａの前方であって当該挿入口１７ａと蓋１５との間に配置される。
【００４８】
また、カード取り出し防止体３２ｃは、底部支持体２３ａの後方に折り畳み可能な可倒式に形成されている。このようにすれば、カード取り出し防止体３２ｃを折り畳んだ状態で、平面型表示装置本体１１を置き台２０に載置すれば、蓋１５は自由に開閉するとともに、Ｂ−ＣＡＳカード２は取り出し自由となる。
【００４９】
以上に説明したように、本実施形態のカード盗難防止機構は、Ｂ−ＣＡＳカード２が挿入される挿入口１７ａと、挿入口１７ａの前方に設けられる開閉可能な蓋１５と、を備える平面型表示装置本体１１と、平面型表示装置本体１１が載置される置き台２０ｃと、を具備し、置き台２０ｃは、平面型表示装置本体１１が置き台２０ｃに載置された状態において、挿入口１７ａの前方を塞ぐように当該挿入口１７ａと蓋１５との間に配置されるカード取り出し防止体３２ｃを備えている。
【００５０】
このようにすれば、カード取り出し防止体３２ｃが、平面型表示装置本体１１が置き台２０に載置された状態において、挿入口１７ａと蓋１５との間に当該挿入口１７ａを塞ぐように配置され、当該カード取り出し防止体３２ｃによって、Ｂ−ＣＡＳカード２が挿入口１７ａから取り出されるのを塞ぐため、外部の者によるＢ−ＣＡＳカード２の取り出しを容易に防止できる。すなわち、当該カード取り出し防止体３２ｃを取り除くには、平面型表示装置本体１１を置き台２０から取り除かなければならないので、特に店頭でのＢ−ＣＡＳカードの盗難防止に効果を発揮する。
【００５１】
―第５の実施形態―
図１１乃至図１５により本願の第５の実施形態の表示装置を説明する。なお、図１１乃至図１５において、図１乃至図３と共通する部分には同一符号を付し、それらの説明は省略する。
【００５２】
図１１は第５の実施形態の平面型表示装置を示し、図１１（ａ）は正面図、図１１（ｂ）は図１１（ａ）のXI−XI断面図、図１２は図１１（ｂ）のＥ拡大図、図１３は第５の実施形態の表示装置本体を置き台に載置する際の状態図、図１４は図１１に示す押上体の他の実施形態を示す図、図１５は図１４に示す押上体が移動体を押し上げる状態を説明するための説明図である。これらの図から明らかなように、本実施形態のカード盗難防止機構は、平面型表示装置本体１１の内部に設けられる移動体１９によってＢ−ＣＡＳカード２が挿入される挿入口１７ａの前方を塞ぐ形態としたものである。
【００５３】
当該平面型表示装置本体１０Ｄは、当該平面型表示装置本体１１の当該蓋１５と挿入口１７ａの間に空間部１８を有している。当該空間部１８は、当該挿入口１７ａよりも少し上方から当該平面型表示装置本体１１の底部に開口１１ａを有するように延びて形成されている。また、当該空間部１８の当該挿入口１７ａよりも下方には、上下方向に移動可能な移動体１９が配置されている。具体的には、当該移動体１９は、上端部が、通常、当該挿入口１７ａの入口よりも下方に配置されており、上方への移動時には、当該上端部が、当該挿入口１７ａの入口よりも少し上方まで移動可能に配置されている。
【００５４】
置き台２０ｄは、基台２１と、当該基台２１上に回転可能に設けられ平面型表示装置本体１１が載置される載置台２２ｄと、を備えている。当該載置台２２ｄは、平面型表示装置本体１１の底部を支える底部支持体２３ａと、当該底部支持体２３ａの前方の一部が上方垂直方向に延びて形成され、当該移動体１９の下端部を押上げる押上体３２ｄと、前記底部支持体２３ａの後方端部から垂直方向に延びて形成される当該平面型表示装置本体１１の左右背面を支えるための一対の背面支持体２４、２４と、を備えている。当該底部支持体２３ａ、押上体３２ｄ、及び一対の背面支持体２４は一体的に形成されている。なお、装置本体１１を支える支持体は他に装置本体１１の内部に挿す構成等、特に限定はされない。
【００５５】
このように構成された平面型表示装置１０Ｄは、表示装置本体１１が置き台２０に載置される際に、移動体１９が、押上体３２ｄによって上方へ押上げられて挿入口１７ａの前方を塞ぎ、外部の者によるＢ−ＣＡＳカード２の取り出しを防止する。
【００５６】
なお、図１４及び図１５に示すように、押上体３２ｅは、底部支持体２３ａの後方に折り畳み可能な可倒式に形成されていても構わない。このようにすれば、押上体３２ｅを折り畳んだ状態で、平面型表示装置本体１１を置き台２０ｄに載置すれば、移動体１９は上方へ移動しないので、蓋１５を開放することにより、挿入口１７ａから挿入されるＢ−ＣＡＳカード２は取り出し自由となる。
【００５７】
以上に説明したように本実施形態のカード盗難防止機構は、Ｂ−ＣＡＳカード２が挿入される挿入口１７ａと、挿入口１７ａの前方に設けられる開閉可能な蓋１５と、挿入口１７ａと蓋１５との間であって上端部が挿入口１７ａよりも下方に設けられる上下方向に移動可能な移動体１９と、を備える平面型表示装置本体１１と、平面型表示装置本体１１が載置される置き台２０ｄと、を具備し、置き台２０ｄは、平面型表示装置本体１１が置き台２０ｄに載置される際に、移動体１９を上方へ押し上げ移動体１９が挿入口１７ａの前方を塞ぐ位置まで押し上げられる押上体３２ｄを備えている。
【００５８】
このようにすれば、移動体１９が、平面型表示装置本体１１が置き台２０に載置された状態において、押上体３２ｄによって当該挿入口１７ａを塞ぐように配置され、Ｂ−ＣＡＳカード２が挿入口１７ａから取り出されるのを塞ぐため、外部の者によるＢ−ＣＡＳカード２の取り出しを容易に防止できる。すなわち、当該移動体１９を取り除くには、平面型表示装置本体１１を置き台２０から取り除かなければならないので、特に店頭でのＢ−ＣＡＳカードの盗難防止に効果を発揮する。
【００５９】
本願は以上の実施形態に限定されることなく、種々の形態にて実施してよい。各実施形態をそれぞれ組合わせることも可能であり、例えば、第１及び第２の実施形態において、治具３０に形成されているカード取り出し防止体３２、３２ａは、第３及び第４の実施形態に示すように、可倒式であってもよい。また、第２の実施形態において、第５の実施形態に示すように、挿入口１７ａと蓋１５との間に移動体１９を設け、押上体３２ｄによって、当該移動体１９を押上げて挿入口１７ａを塞ぐ形態としても構わない。同様に、第３及び第４の実施形態において、置き台２０ｂ、２０ｃに形成されているカード取り出し防止体３２ｂ、３２ｃは、第１及び第２の実施形態に示すように、固定式であってもよい。
【００６０】
また、本願のカード盗難防止機構は、平面型表示装置に限られるものではなく、他のすべての表示装置に本願のカード盗難防止機構を適用することが可能である。
【００６１】
さらに、各実施形態においては、Ｂ−ＣＡＳカードを用いた表示装置について記載しているが、当該Ｂ−ＣＡＳカードに代えて、ＳＤ（Secure Digital）カード、ＰＣＭＣＩＡ（Personal Computer Memory Card International Association）カード、又は取り外し可能な情報記憶媒体（ＦＤ（Floppy(登録商標) Disk）など）を用い、当該各カードの盗難防止機構としても構わない。
【図面の簡単な説明】
【００６２】
【図１】第１の実施形態の平面型表示装置の構成図である。
【図２】第１の実施形態の平面型表示装置を示し、図２（ａ）は正面図、図２（ｂ）は図２（ａ）のII−II断面図である。
【図３】図２（ｂ）のＡ拡大図である。
【図４】第２の実施形態の平面型表示装置を示し、図４（ａ）は正面図、図４（ｂ）は図４（ａ）のIV−IV断面図である。
【図５】図４（ｂ）のＢ拡大図である。
【図６】第３の実施形態の平面型表示装置の構成図である。
【図７】第３の実施形態の平面型表示装置を示し、図７（ａ）は正面図、図７（ｂ）は図７（ａ）のVII−VII断面図である。
【図８】図７（ｂ）のＣ拡大図である。
【図９】第４の実施形態の平面型表示装置を示し、図９（ａ）は正面図、図９（ｂ）は図９（ａ）のIX−IX断面図である。
【図１０】図９（ｂ）のＤ拡大図である。
【図１１】第５の実施形態の平面型表示装置を示し、図１１（ａ）は正面図、図１１（ｂ）は図１１（ａ）のXI−XI断面図である。
【図１２】図１１（ｂ）のＥ拡大図である。
【図１３】第５の実施形態の表示装置本体を置き台に載置する際の状態図である。
【図１４】押上体の他の実施形態を示す図である。
【図１５】押上体が移動体を押し上げる状態を説明する説明図である。
【符号の説明】
【００６３】
２  Ｂ−ＣＡＳカード
１０〜１０Ｄ  表示装置
１１  表示装置本体
１７ａ  挿入口
１９  移動体
２０〜２０ｄ  置き台
３０  治具
３１  基体
３２〜３２ｃ  カード取り出し防止体
３２ｄ、３２ｅ  押上体
【図１】
2006237971.tif 000003
【図２】
2006237971.tif 000004
【図３】
2006237971.tif 000005
【図４】
2006237971.tif 000006
【図５】
2006237971.tif 000007
【図６】
2006237971.tif 000008
【図７】
2006237971.tif 000009
【図８】
2006237971.tif 000010
【図９】
2006237971.tif 000011
【図１０】
2006237971.tif 000012
【図１１】
2006237971.tif 000013
【図１２】
2006237971.tif 000014
【図１３】
2006237971.tif 000015
【図１４】
2006237971.tif 000016
【図１５】
2006237971.tif 000017